(57)【要約】【課題】店舗側の不手際に対する補償のために再来店した顧客を容易に認識する技術を提供する。【解決手段】店舗装置１０は、決済を識別する決済識別情報を取得する取得部１１０と、決済毎に割り当てられた決済識別情報と顧客が使用していた車両を特定する第１車両特定情報とを互いに紐付けて記憶する記憶部の中から、取得部１１０が取得した決済識別情報に対応する第１車両特定情報を特定してフラグ情報を紐付ける紐付け部１２０と、店舗の敷地に入る車両を特定する第２車両特定情報を生成する生成部１３０と、フラグ情報が紐付けられている第１車両特定情報と第２車両特定情報とが一致する場合に、所定の出力を行う出力部１４０と、を備える。【選択図】図１
2018055563.tif 000002
【特許請求の範囲】
【請求項１】
決済を識別する決済識別情報を取得する取得手段と、
決済毎に割り当てられた前記決済識別情報と顧客が使用していた車両を特定する第１車両特定情報とを互いに紐付けて記憶する記憶部の中から、前記取得手段が取得した決済識別情報に対応する前記第１車両特定情報を特定してフラグ情報を紐付ける紐付け手段と、
店舗の敷地に入る車両を特定する第２車両特定情報を生成する生成手段と、
前記フラグ情報が紐付けられている前記第１車両特定情報と前記第２車両特定情報とが一致する場合に、所定の出力を行う出力手段と、
を備える店舗装置。
【請求項２】
前記取得手段は、商品を特定する商品特定情報を更に取得し、
前記紐付け手段は、前記取得手段が取得した決済識別情報に対応する前記第１車両特定情報に、前記取得手段が取得した商品特定情報を含む前記フラグ情報を紐付け、
前記出力手段は、前記フラグ情報の商品特定情報を用いた出力を行う、
請求項１に記載の店舗装置。
【請求項３】
前記出力手段は、前記取得手段が取得した決済識別情報に対応する前記第１車両特定情報または前記第２車両特定情報を用いた出力を行う、
請求項１または２に記載の店舗装置。
【請求項４】
決済を識別する決済識別情報を取得する取得手段と、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出して出力する出力手段と、
を備える店舗装置。
【請求項５】
前記記憶部は、決済毎に割り当てられた前記決済識別情報および顧客が使用していた車両を特定する前記第１車両特定情報と共に、商品を特定する商品特定情報を更に記憶しており、
前記出力手段は、前記取得手段が取得した決済識別情報に対応する前記第１車両特定情報および前記商品特定情報を読み出して出力する、
請求項４に記載の店舗装置。
【請求項６】
第１の店舗装置から、車両を特定する第１車両特定情報と商品を特定する商品特定情報とを含む再来店情報を受信する受信手段と、
第２の店舗装置に、前記再来店情報を配信する配信手段と、
を備えるサーバ装置。
【請求項７】
前記受信手段が受信する前記再来店情報には、当該再来店情報の配信先とする前記第２の店舗装置を特定する配信先特定情報が含まれており、
前記配信手段は、前記受信手段が受信した再来店情報の配信先特定情報に基づいて、当該再来店情報を送信すべき前記第２の店舗装置を特定する、
請求項６に記載のサーバ装置。
【請求項８】
前記配信手段は、前記再来店情報の配信先とする前記第２の店舗装置を特定する配信先特定情報を前記第１の店舗装置別に記憶する記憶部の中から、前記受信手段が受信した再来店情報の送信元の前記第１の店舗装置に対応する前記配信先特定情報を読み出し、当該読み出した配信先特定情報に基づいて、当該再来店情報を送信すべき前記第２の店舗装置を特定する、
請求項６に記載のサーバ装置。
【請求項９】
決済を識別する決済識別情報と商品を特定する商品特定情報とを取得する取得手段と、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出す読出手段と、
前記読出手段が読み出した前記第１車両特定情報と、前記取得手段が取得した前記商品特定情報とを含む再来店情報を外部装置に送信する送信手段と、
を備える店舗装置。
【請求項１０】
決済を識別する決済識別情報と商品を特定する商品特定情報とを含む再来店情報を外部装置から受信して所定の記憶部に記憶する受信手段と、
店舗の敷地に入る車両を特定する第２車両特定情報を生成する生成手段と、
前記記憶部から前記第２車両特定情報と一致する第１車両特定情報を含む前記再来店情報を検索し、該当する前記再来店情報に含まれる前記商品特定情報を出力する出力手段と、
を備える店舗装置。
【請求項１１】
請求項６から８のいずれか１項に記載のサーバ装置と、
請求項９に記載の店舗装置と、
請求項１０に記載の店舗装置と、
を含む情報処理システム。
【請求項１２】
コンピュータが、
決済を識別する決済識別情報を取得し、
決済毎に割り当てられた前記決済識別情報と顧客が使用していた車両を特定する第１車両特定情報とを互いに紐付けて記憶する記憶部の中から、前記取得した決済識別情報に対応する前記第１車両特定情報を特定してフラグ情報を紐付け、
店舗の敷地に入る車両を特定する第２車両特定情報を生成し、
前記フラグ情報が紐付けられている前記第１車両特定情報と前記第２車両特定情報とが一致する場合に、所定の出力を行う、
ことを含む情報処理方法。
【請求項１３】
コンピュータが、
決済を識別する決済識別情報を取得し、
決済毎に割り当てられた決済識別情報と顧客が使用していた車両を特定する第１車両特定情報とを互いに紐付けて記憶する記憶部から、前記取得した決済識別情報に対応する前記第１車両特定情報を読み出して出力する、
ことを含む情報処理方法。
【請求項１４】
コンピュータが、
第１の店舗装置から、車両を特定する第１車両特定情報と商品を特定する商品特定情報とを含む再来店情報を受信し、
第２の店舗装置に、前記再来店情報を配信する、
ことを含む情報処理方法。
【請求項１５】
コンピュータが、
決済を識別する決済識別情報と商品を特定する商品特定情報とを取得し、
決済毎に割り当てられた決済識別情報と顧客が使用していた車両を特定する第１車両特定情報とを互いに紐付けて記憶する記憶部から、前記取得した決済識別情報に対応する前記第１車両特定情報を読み出し、
前記読み出した前記第１車両特定情報と、前記取得した前記商品特定情報とを含む再来店情報を外部装置に送信する、
ことを含む情報処理方法。
【請求項１６】
コンピュータが、
決済を識別する決済識別情報と商品を特定する商品特定情報とを含む再来店情報を外部装置から受信して所定の記憶部に記憶し、
店舗の敷地に入る車両を特定する第２車両特定情報を生成し、
前記第２車両特定情報と一致する第１車両特定情報を含む前記再来店情報を検索し、該当する前記再来店情報に含まれる前記商品特定情報を出力する、
ことを含む情報処理方法。
【請求項１７】
コンピュータを、
決済を識別する決済識別情報を取得する取得手段、
決済毎に割り当てられた前記決済識別情報と顧客が使用していた車両を特定する第１車両特定情報とを互いに紐付けて記憶する記憶部の中から、前記取得手段が取得した決済識別情報に対応する前記第１車両特定情報を特定してフラグ情報を紐付ける紐付け手段、
店舗の敷地に入る車両を特定する第２車両特定情報を生成する生成手段、及び、
前記フラグ情報が紐付けられている前記第１車両特定情報と前記第２車両特定情報とが一致する場合に、所定の出力を行う出力手段、
として機能させるためのプログラム。
【請求項１８】
コンピュータを、
決済を識別する決済識別情報を取得する取得手段、及び、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出して出力する出力手段、
として機能させるためのプログラム。
【請求項１９】
コンピュータを、
第１の店舗装置から、車両を特定する第１車両特定情報と商品を特定する商品特定情報とを含む再来店情報を受信する受信手段、及び、
第２の店舗装置に、前記再来店情報を配信する配信手段、
として機能させるためのプログラム。
【請求項２０】
コンピュータを、
決済を識別する決済識別情報と商品を特定する商品特定情報とを取得する取得手段、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出す読出手段、及び、
前記読出手段が読み出した前記第１車両特定情報と、前記取得手段が取得した前記商品特定情報とを含む再来店情報を外部装置に送信する送信手段、
として機能させるためのプログラム。
【請求項２１】
コンピュータを、
決済を識別する決済識別情報と商品を特定する商品特定情報とを含む再来店情報を外部装置から受信して所定の記憶部に記憶する受信手段、
店舗の敷地に入る車両を特定する第２車両特定情報を生成する生成手段、及び、
前記第２車両特定情報と一致する第１車両特定情報を含む前記再来店情報を検索し、該当する前記再来店情報に含まれる前記商品特定情報を出力する出力手段、
として機能させるためのプログラム。
【発明の詳細な説明】
【技術分野】
【０００１】
本発明は、店舗で行われる業務を支援する技術に関する。
【背景技術】
【０００２】
下記特許文献１には、ドライブスルー方式の店舗において利用される技術が開示されている。詳細には、商品の注文場所に設置された撮像手段で認識された車両のナンバーと注文された商品とを紐付けて記憶しておき、別途認識された車両のナンバーを用いて料金の請求や注文商品の引渡しを円滑に行う技術が開示されている。
【０００３】
また、下記特許文献２には、ガソリンスタンド等において利用される技術が開示されている。詳細には、料金を支払わなかった顧客の車両のナンバーを記憶しておき、当該料金を支払っていない顧客が再び来店したことを、車両のナンバーに基づいて検出する技術が開示されている。
【先行技術文献】
【特許文献】
【０００４】
【特許文献１】特開平４−３４９５９２号公報
【特許文献２】特開２００８−１８１５３８号公報
【発明の概要】
【発明が解決しようとする課題】
【０００５】
店舗で商品を購入するとき、例えば、注文を受けた商品を店員が入れ忘れるといった不備が起こることもある。顧客は、商品の入れ忘れにその場で気づくことは難しく、大抵の場合、再度店舗を訪れて店舗側の不手際に対する補償を受けることになる。このような顧客が再度店舗に訪れた場合には、店舗には、顧客の信頼を回復するための丁重な対応が要求される。そのため、このような顧客が再度店舗を訪れたことを容易に把握できる技術が望まれる。
【０００６】
本発明の目的は、店舗側の不手際に対する補償のために再来店した顧客を容易に認識する技術を提供することにある。
【課題を解決するための手段】
【０００７】
本発明によれば、
決済を識別する決済識別情報を取得する取得手段と、
決済毎に割り当てられた前記決済識別情報と顧客が使用していた車両を特定する第１車両特定情報とを互いに紐付けて記憶する記憶部の中から、前記取得手段が取得した決済識別情報に対応する前記第１車両特定情報を特定してフラグ情報を紐付ける紐付け手段と、
店舗の敷地に入る車両を特定する第２車両特定情報を生成する生成手段と、
前記フラグ情報が紐付けられている前記第１車両特定情報と前記第２車両特定情報とが一致する場合に、所定の出力を行う出力手段と、
を備える店舗装置が提供される。
【０００８】
本発明によれば、
決済を識別する決済識別情報を取得する取得手段と、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出して出力する出力手段と、
を備える店舗装置が提供される。
【０００９】
本発明によれば、
第１の店舗装置から、車両を特定する第１車両特定情報と商品を特定する商品特定情報とを含む再来店情報を受信する受信手段と、
第２の店舗装置に、前記再来店情報を配信する配信手段と、
を備えるサーバ装置が提供される。
【００１０】
本発明によれば、
決済を識別する決済識別情報と商品を特定する商品特定情報とを取得する取得手段と、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出す読出手段と、
前記読出手段が読み出した前記第１車両特定情報と、前記取得手段が取得した前記商品特定情報とを含む再来店情報を外部装置に送信する送信手段と、
を備える店舗装置（第１の店舗装置）が提供される。
【００１１】
本発明によれば、
決済を識別する決済識別情報と商品を特定する商品特定情報とを含む再来店情報を外部装置から受信して所定の記憶部に記憶する受信手段と、
店舗の敷地に入る車両を特定する第２車両特定情報を生成する生成手段と、
前記記憶部から前記第２車両特定情報と一致する第１車両特定情報を含む前記再来店情報を検索し、該当する前記再来店情報に含まれる前記商品特定情報を出力する出力手段と、
を備える店舗装置（第２の店舗装置）が提供される。
【００１２】
本発明によれば、
上述のサーバ装置と、
上述の第１の店舗装置と、
上述の第２の店舗装置と、
を備える情報処理システムが提供される。
【００１３】
本発明によれば、
コンピュータが、
決済を識別する決済識別情報を取得し、
決済毎に割り当てられた前記決済識別情報と顧客が使用していた車両を特定する第１車両特定情報とを互いに紐付けて記憶する記憶部の中から、前記取得した決済識別情報に対応する前記第１車両特定情報を特定してフラグ情報を紐付け、
店舗の敷地に入る車両を特定する第２車両特定情報を生成し、
前記フラグ情報が紐付けられている前記第１車両特定情報と前記第２車両特定情報とが一致する場合に、所定の出力を行う、
ことを含む情報処理方法が提供される。
【００１４】
本発明によれば、
コンピュータが、
決済を識別する決済識別情報を取得し、
決済毎に割り当てられた決済識別情報と顧客が使用していた車両を特定する第１車両特定情報とを互いに紐付けて記憶する記憶部から、前記取得した決済識別情報に対応する前記第１車両特定情報を読み出して出力する、
ことを含む情報処理方法が提供される。
【００１５】
本発明によれば、
コンピュータが、
第１の店舗装置から、車両を特定する第１車両特定情報と商品を特定する商品特定情報とを含む再来店情報を受信し、
第２の店舗装置に、前記再来店情報を配信する、
ことを含む情報処理方法が提供される。
【００１６】
本発明によれば、
コンピュータが、
決済を識別する決済識別情報と商品を特定する商品特定情報とを取得し、
決済毎に割り当てられた決済識別情報と顧客が使用していた車両を特定する第１車両特定情報とを互いに紐付けて記憶する記憶部から、前記取得した決済識別情報に対応する前記第１車両特定情報を読み出し、
前記読み出した前記第１車両特定情報と、前記取得した前記商品特定情報とを含む再来店情報を外部装置に送信する、
ことを含む情報処理方法が提供される。
【００１７】
本発明によれば、
コンピュータが、
決済を識別する決済識別情報と商品を特定する商品特定情報とを含む再来店情報を外部装置から受信して所定の記憶部に記憶し、
店舗の敷地に入る車両を特定する第２車両特定情報を生成し、
前記第２車両特定情報と一致する第１車両特定情報を含む前記再来店情報を検索し、該当する前記再来店情報に含まれる前記商品特定情報を出力する、
ことを含む情報処理方法が提供される。
【００１８】
本発明によれば、
コンピュータを、
決済を識別する決済識別情報を取得する取得手段、
決済毎に割り当てられた前記決済識別情報と顧客が使用していた車両を特定する第１車両特定情報とを互いに紐付けて記憶する記憶部の中から、前記取得手段が取得した決済識別情報に対応する前記第１車両特定情報を特定してフラグ情報を紐付ける紐付け手段、
店舗の敷地に入る車両を特定する第２車両特定情報を生成する生成手段、及び、
前記フラグ情報が紐付けられている前記第１車両特定情報と前記第２車両特定情報とが一致する場合に、所定の出力を行う出力手段、
として機能させるためのプログラムが提供される。
【００１９】
本発明によれば、
コンピュータを、
決済を識別する決済識別情報を取得する取得手段、及び、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出して出力する出力手段、
として機能させるためのプログラムが提供される。
【００２０】
本発明によれば、
コンピュータを、
第１の店舗装置から、車両を特定する第１車両特定情報と商品を特定する商品特定情報とを含む再来店情報を受信する受信手段、及び、
第２の店舗装置に、前記再来店情報を配信する配信手段、
として機能させるためのプログラムが提供される。
【００２１】
本発明によれば、
コンピュータを、
決済を識別する決済識別情報と商品を特定する商品特定情報とを取得する取得手段、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出す読出手段、及び、
前記読出手段が読み出した前記第１車両特定情報と、前記取得手段が取得した前記商品特定情報とを含む再来店情報を外部装置に送信する送信手段、
として機能させるためのプログラムが提供される。
【００２２】
本発明によれば、
コンピュータを、
決済を識別する決済識別情報と商品を特定する商品特定情報とを含む再来店情報を外部装置から受信して所定の記憶部に記憶する受信手段、
店舗の敷地に入る車両を特定する第２車両特定情報を生成する生成手段、及び、
前記第２車両特定情報と一致する第１車両特定情報を含む前記再来店情報を検索し、該当する前記再来店情報に含まれる前記商品特定情報を出力する出力手段、
として機能させるためのプログラムが提供される。
【発明の効果】
【００２３】
本発明によれば、店員が、店舗側の不手際に対する補償のために再来店した顧客を容易に認識し、円滑な対応が可能となる。
【図面の簡単な説明】
【００２４】
【図１】第１実施形態の店舗装置の機能構成を概念的に示すブロック図である。
【図２】第１実施形態の店舗装置を利用するドライブスルー店舗の構成の一例を示す図である。
【図３】店舗装置のハードウエア構成を概念的に示すブロック図である。
【図４】店舗装置の通常時の処理の流れを例示するフローチャートである。
【図５】外部記憶装置が記憶する情報の一例が示されている。
【図６】顧客からのクレームを受け付けたときの店舗装置の処理の流れを例示するフローチャートである。
【図７】外部記憶装置が記憶する情報の一例を示す図である。
【図８】顧客が再来店したときの店舗装置の処理の流れを例示するフローチャートである。
【図９】第２実施形態の店舗装置の機能構成を概念的に示すブロック図である。
【図１０】第２実施形態の店舗装置によって実行される処理の流れを例示するフローチャートである。
【図１１】第３実施形態の情報処理システムを概念的に示すブロック図である。
【図１２】情報処理システムに含まれる各装置のハードウエア構成を概念的に示すブロック図である。
【図１３】第３実施形態の情報処理システムの処理の流れを例示するシーケンス図である。
【発明を実施するための形態】
【００２５】
以下、本発明の実施の形態について、図面を用いて説明する。尚、すべての図面において、同様な構成要素には同様の符号を付し、適宜説明を省略する。また各ブロック図において、特に説明がない限り、各ブロックは、ハードウエア単位の構成ではなく機能単位の構成を表している。
【００２６】
［第１実施形態］
図１は、第１実施形態の店舗装置１０の機能構成を概念的に示すブロック図である。店舗装置１０は、ドライブスルーサービスを提供している店舗で利用される。図１に示されるように、本実施形態の店舗装置１０は、取得部１１０、紐付け部１２０、生成部１３０、および出力部１４０を備える。
【００２７】
取得部１１０は、決済を識別する決済識別情報を取得する。ここで取得部１１０が取得する決済識別情報は、例えば商品の入れ忘れなどの不備のあった決済の決済識別情報である。取得部１１０は、例えば、店舗装置１０の入力装置を用いて店員が入力した決済識別情報を取得することができる。店員は、商品の入れ忘れといった不備に関するクレームの電話を顧客から受け付けた際に、レシート等に印字された決済識別情報を顧客に確認するなどして、入力すべき決済識別情報を把握することができる。但し、これはあくまで一例であり、本発明はここで例示した内容に限定されない。例えば、取得部１１０は、専用のＷｅｂサイトや電子メールを介して、商品の入れ忘れといった不備のあった決済の決済識別情報を取得することもできる。
【００２８】
紐付け部１２０は、決済毎に割り当てられた決済識別情報と車両を特定する第１車両特定情報とを互いに紐付けて記憶する記憶部（図示せず）の中から、取得部１１０が取得した決済識別情報に対応する第１車両特定情報を特定する。そして、紐付け部１２０は、特定した第１車両特定情報にフラグ情報を紐付ける。フラグ情報は、顧客が再来店するということを示す（識別する）情報である。フラグ情報の一例として、後述の具体例で説明する、商品特定情報や有効期限を示す情報などが利用できる。
【００２９】
ここで、第１車両特定情報は、例えば、車両に取り付けられたナンバープレートの文字や数字などである。第１車両特定情報は、顧客が使用していた車両を特定するために補助的に利用可能な情報（以下、"補助情報"とも表記）を更に含んでいてもよい。第１車両特定情報の補助情報の具体例としては、車体の色に関する情報、車両のサイズ（小型／中型／大型など）に関する情報、車両の分類（二輪自動車、四輪自動車、ボディタイプ（セダン、ワゴンなど））に関する情報などが挙げられる。その他にも、車両の外観画像、車両に乗っている人物の画像、およびそれらの画像から抽出できる特徴量などが第１車両特定情報の補助情報として含まれていてもよい。第１車両特定情報は、例えば店舗の入り口の近傍やドライブスルーの通路上（例えば、商品を注文するための装置の近傍など）に設置された撮像装置（図示せず）により生成された車両の画像を解析することによって得ることができる。このように得られた第１車両特定情報は、顧客の注文に応じて生成される決済識別情報と紐付けて、上述の図示しない記憶手段に記憶される。
【００３０】
生成部１３０は、店舗の敷地に入る車両を特定する第２車両特定情報を生成する。生成部１３０は、例えば店舗の入り口付近やドライブスルー通路上（例えば、商品を注文するための装置の近辺など）に設置された撮像装置（図示せず）により生成される車両の画像を解析することにより、第２車両特定情報を生成することができる。生成部１３０が生成する第２車両特定情報は、上述の記憶部に記憶されている第１車両特定情報と同様の情報である。
【００３１】
出力部１４０は、フラグ情報が紐付けられている第１車両特定情報と生成部１３０により生成された第２車両特定情報とを比較して両者が一致する場合に、所定の出力を行う。所定の出力は、商品の入れ忘れといった不備の補償を受けるために顧客が再来店したことを知らせる通知出力を少なくとも含む。出力部１４０の処理の詳細については、後述する。
【００３２】
以上、本実施形態の店舗装置１０から出力される情報（例えば、車両のナンバーなど）によれば、店員が、店舗側の不手際に対する補償のために再来店した顧客に気づくことができる。そして、そのような顧客の再来店に気づいた店員は予め心構えができるため、丁寧な応対を行って顧客の信頼の回復に努めることができる。
【００３３】
〔第１実施形態の具体例〕
以下、具体的な例を用いて、第１実施形態の構成をより詳細に説明する。
【００３４】
＜店舗構成例＞
図２は、第１実施形態の店舗装置１０を利用するドライブスルー店舗の構成の一例を示す図である。図２では、店舗装置１０は、注文受付装置２０、第１の撮像装置２２、第２の撮像装置２４、および、外部記憶装置２６と通信線（図中の点線）を介して接続されている。
【００３５】
注文受付装置２０は、図示しないマイクロフォンやタッチパネルなどを介して、顧客から商品の注文を受け付ける装置である。注文内容は、店舗装置１０のディスプレイやスピーカーを介して店員に通知される。店員は、顧客の車両が通路を更に進んだ場所に設けられる料金精算および商品受け渡し用の窓口まで進む間に、注文内容に従って商品を準備する。準備された商品は窓口で顧客に渡される。
【００３６】
第１の撮像装置２２および第２の撮像装置２４は、第１車両特定情報や第２車両特定情報を得るために用いる画像データを生成する装置である。なお、撮像装置の設置位置は、車両のナンバープレートを含む車両の外観を撮像可能な場所であれば特に限定されない。図２では、ドライブスルー通路上に配置された注文受付装置２０の近傍（例えば、注文受付装置２０の上部）に第１の撮像装置２２が設置され、店舗の入り口近傍に第２の撮像装置２４が設置されている。また、撮像装置の数は図２の例に限定されない。例えば、第１の撮像装置２２および第２の撮像装置２４のいずれか一方が設置されていてもよいし、第１の撮像装置２２および第２の撮像装置２４以外の撮像装置が更に設置されていてもよい。
【００３７】
外部記憶装置２６は、決済毎に割り当てられた決済識別情報と車両を特定する第１車両特定情報とを互いに紐付けて記憶する記憶装置である。
【００３８】
＜ハードウエア構成＞
図３は、店舗装置１０のハードウエア構成を概念的に示すブロック図である。なお、店舗装置１０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。図３では、店舗装置１０の各機能構成部がハードウエアとソフトウエアとの組み合わせで実現される場合について説明する。
【００３９】
店舗装置１０は、バス１０１、プロセッサ１０２、メモリ１０３、ストレージデバイス１０４、入出力インタフェース１０５、及び、通信インタフェース１０６を有する。バス１０１は、データを送受信するためのデータ伝送路である。プロセッサ１０２、メモリ１０３、ストレージデバイス１０４、入出力インタフェース１０５、及び通信インタフェース１０６は、バス１０１を介して相互にデータを送受信する。但し、プロセッサ１０２などを互いに接続する方法は、バス接続に限定されない。
【００４０】
プロセッサ１０２は、ＣＰＵ（Central Processing Unit）やＧＰＵ（Graphics Processing Unit）などの演算処理装置である。また、メモリ１０３は、ＲＡＭ（Random Access Memory）やＲＯＭ（Read Only Memory）などのメモリである。ストレージデバイス１０４は、ＨＤＤ（Hard Disk Drive）、ＳＳＤ（Solid State Drive）、又はメモリカードなどの記憶装置である。
【００４１】
入出力インタフェース１０５は、店舗装置１０と入出力デバイスとを接続するためのインタフェースである。入出力インタフェース１０５には、例えば、キーボードやマウスなどの入力装置１０５１、ＬＣＤ（Liquid Crystal Display）などのディスプレイ装置１０５２、これらの入力装置１０５１とディスプレイ装置１０５２が一体化したタッチパネルなどが接続される。
【００４２】
通信インタフェース１０６は、店舗装置１０と外部装置（例えば、注文受付装置２０、第１の撮像装置２２、第２の撮像装置２４、外部記憶装置２６など）とを、各種ネットワークを介して接続するためのインタフェースである。通信インタフェース１０６の通信方式は、特に限定されない。
【００４３】
メモリ１０３やストレージデバイス１０４には、取得部１１０の機能、紐付け部１２０の機能、生成部１３０の機能、および、出力部１４０の機能をそれぞれ実現するためのプログラムモジュールが記憶される。
【００４４】
プロセッサ１０２が、メモリ１０３やストレージデバイス１０４に記憶される取得部１１０のプログラムモジュールを実行し、入力装置１０５１を用いて入力される或いは通信インタフェース１０６を介して送られてくる、決済識別情報を受け付ける。これにより、取得部１１０の機能が実現される。
【００４５】
また、プロセッサ１０２が、メモリ１０３やストレージデバイス１０４に記憶される紐付け部１２０のプログラムモジュールを実行し、取得部１１０により取得された決済識別情報に対応する車両特定情報を所定の記憶部の中から特定し、フラグ情報を紐付ける。これにより、紐付け部１２０の機能が実現される。なお、所定の記憶部は、図２に示される外部記憶装置２６であってもよいし、店舗装置１０のストレージデバイス１０４であってもよい。後者の場合、外部記憶装置２６は店舗装置１０と接続されていなくてもよい。
【００４６】
また、プロセッサ１０２が、メモリ１０３やストレージデバイス１０４に記憶される生成部１３０のプログラムモジュールを実行して、第１の撮像装置２２や第２の撮像装置２４から取得した車両の画像データを解析して、第２車両特定情報を生成する。これにより、生成部１３０の機能が実現される。
【００４７】
また、プロセッサ１０２が、メモリ１０３やストレージデバイス１０４に記憶される出力部１４０のプログラムモジュールを実行して、生成部１３０により生成された第２車両特定情報と一致する第１車両特定情報が所定の記憶部に記憶されているか否かを判定する。生成部１３０により生成された第２車両特定情報と一致する第１車両特定情報が所定の記憶部に記憶されている場合、プロセッサ１０２は、商品の入れ忘れといった不備の補償を受けるために顧客が再来店したことを知らせる通知出力を少なくとも含む所定の出力を行う。これにより、出力部１４０の機能が実現される。
【００４８】
なお、店舗装置１０のハードウエア構成は図３に示した構成に限定されない。例えば、入出力インタフェース１０５には、注文受付装置２０の図示しないマイクロフォンを介して受け付けた顧客の音声に基づくデータ（音声データ）を出力するスピーカーが接続されていてもよい。また、入出力インタフェース１０５には、商品精算処理を行うための各種機器（バーコードスキャナ、イメージスキャナ、キャッシャドロワ、自動釣銭機、レシートプリンタ等）が更に接続されていてもよい。
【００４９】
＜動作例＞
図４から図８を用いて、第１実施形態の店舗装置１０の具体的な動作例を説明する。
【００５０】
＜＜通常時の処理の流れ＞＞
まず、図４を用いて、通常時における処理の流れを説明する。図４は、店舗装置１０の通常時の処理の流れを例示するフローチャートである。
【００５１】
まず、生成部１３０は、来店した顧客が使用している車両の画像データを取得する（Ｓ１０２）。車両の画像データは、注文受付装置２０の付近に設置された第１の撮像装置２２または店舗の入り口付近に設置された第２の撮像装置２４により生成され、店舗装置１０に送信される。
【００５２】
そして、生成部１３０は、第１の撮像装置２２または第２の撮像装置２４により生成された画像データを解析することによって、第１車両特定情報を生成する（Ｓ１０４）。生成部１３０は、例えばナンバープレートの数字や文字（テキストデータ）といった第１車両特定情報を画像データから抽出することができる。また、生成部１３０は、第１車両特定情報の補助情報を画像データから更に抽出してもよい。例えば、生成部１３０は、画像中の車両領域の画素値に基づいて車両の色を特定し、その特定結果を第１車両特定情報に紐付けてもよい。また例えば、生成部１３０は、画像中の車両領域の物体形状を示す特徴量に基づいて車両の分類（二輪自動車、四輪自動車、ボディタイプの分類（セダンやワゴンなど））を推定し、その推定結果を第１車両特定情報に紐付けてもよい。また例えば、生成部１３０は、画像データの撮像領域のサイズを基準として車両のサイズ（小型／中型／大型）を推定し、その推定結果を第１車両特定情報に紐付けてもよい。また例えば、生成部１３０は、画像中の車両領域の特徴量を抽出し、その抽出した画像特徴量を第１車両特定情報に紐付けてもよい。また例えば、生成部１３０は、画像中の人物領域（主に顔領域）の特徴量を抽出し、その抽出した画像特徴量を第１車両特定情報に紐付けてもよい。
【００５３】
そして、店舗装置１０は決済識別情報を取得する（Ｓ１０６）。決済識別情報は、例えば、次のようにして生成される。まず、注文受付装置２０が、マイクロフォンを用いて収集した顧客の音声、あるいは、タッチパネルやボタンに対する顧客の入力操作によって得られた注文商品の情報を取得し、店舗装置１０や店員用のヘッドセットなどに送信する。そして、店員が、送信された注文商品の情報を確認して、店舗装置１０のキーボードやタッチパネルなどを用いてその商品を入力していく。そして、例えば注文商品を確定するボタンの押下などによって商品の注文が完了すると、その注文（決済）を一意に識別する決済識別情報が店舗装置１０または図示しない外部サーバで生成され、入力された商品の商品識別情報と紐付けられる。
【００５４】
なお、撮像装置（第１の撮像装置２２、第２の撮像装置２４）の設置位置によっては、Ｓ１０２〜Ｓ１０４の処理とＳ１０６の処理の実行順序が入れ替わることもある。また、Ｓ１０２〜Ｓ１０４の処理とＳ１０６の処理が並行して実行されてもよい。
【００５５】
そして、店舗装置１０は、Ｓ１０４で生成した第１車両特定情報とＳ１０６で取得した決済識別情報とを互いに紐付けて、外部記憶装置２６などに記憶する（Ｓ１０８）。決済識別情報と第１車両特定情報とを紐付けた情報は、予め決められた期間（例："営業終了時間まで"や"２４時間以内"など）が経過するまで外部記憶装置２６などに保管され、当該期間が経過すると、レコードの削除または削除フラグの付与などによって削除される。
【００５６】
外部記憶装置２６には、例えば、図５示されるような情報が記憶される。図５は、外部記憶装置２６が記憶する情報の一例が示されている。図５に示されるように、外部記憶装置２６は、車両のナンバーと補助情報（車両の色、車両のサイズ、車両の分類、乗車人物の画像特徴量など）を含む第１車両特定情報および外部記憶装置２６に登録された時間を示す登録時間情報を決済識別情報毎に記憶している。登録時間情報は、上述の保管期間を経過したか否かを店舗装置１０が判定するために使用される。第１車両特定情報は、後述の処理で使用される。
【００５７】
＜＜クレームを受け付けたときの処理の流れ＞＞
次に、図６を用いて、顧客からのクレームを受け付けたときの店舗装置１０の処理の流れを説明する。図６は、顧客からのクレームを受け付けたときの店舗装置１０の処理の流れを例示するフローチャートである。
【００５８】
まず、取得部１１０は決済識別情報を取得する（Ｓ２０２）。一例として、まず、店員が、顧客からのクレーム電話の応対で、レシート等に印字された決済識別情報を確認する。そして、店員がキーボードやタッチパネルなどを用いて決済識別情報を入力することによって、取得部１１０が当該入力された決済識別情報を取得することができる。また他の例として、まず、顧客が、Ｗｅｂサイトの入力フォームまたは電子メールに、レシート等に印字された決済識別情報を入力する。店舗装置１０は、当該Ｗｅｂサイトの入力情報または電子メールをネットワークを介して受信し、取得部１１０は、受信したＷｅｂサイトの入力情報または電子メールに含まれる決済識別情報を取得することができる。
【００５９】
また、取得部１１０は、入れ忘れなどの不備があった商品を特定する商品特定情報を更に取得することもできる（Ｓ２０４）。例えば、店員が、クレームの電話応対において、不備のあった商品の商品特定情報（例：商品識別情報、商品名、必要な商品の数など）を確認し、店舗装置１０の入力装置などを介して当該把握した商品特定情報を入力する。取得部１１０は、当該店員による入力操作によって、商品特定情報を取得することができる。また例えば、顧客がＷｅｂサイトの入力フォームまたは電子メールに商品特定情報を更に入力することによって、取得部１１０は商品特定情報を取得することができる。
【００６０】
そして、紐付け部１２０は、Ｓ２０２で取得した決済識別情報に対応する第１車両特定情報を外部記憶装置２６の中から検索する（Ｓ２０６）。詳細には、紐付け部１２０は、外部記憶装置２６の中に記憶されている情報のうち廃棄されていない（例えば、削除フラグが付与されていない）情報を対象として、Ｓ２０２で取得した決済識別情報と同一の決済識別情報を検索する。そして、紐付け部１２０は、検索の結果として検出された決済識別情報に紐付けられている第１車両特定情報を、Ｓ２０２で取得した決済識別情報に対応する第１車両特定情報として特定する。
【００６１】
このとき、紐付け部１２０は、第１車両特定情報を用いて、クレーム連絡をしてきた人物が正当な人物（商品を実際に注文した人物）か否かを認証してもよい（Ｓ２０８）。例えば、まず、クレームの電話応対をしている店員が、第１車両特定情報（ナンバープレートの数字や文字など）を顧客に確認し、その結果として得られた情報をキーボードやタッチパネルなどを用いて店舗装置１０に入力する。そして、紐付け部１２０が、Ｓ２０６の検索結果として得られる第１車両特定情報と、ここで入力された第１車両特定情報とを比較する。ここで、第１車両特定情報を生成する際、その情報の一部（例：ナンバープレートの文字または数字の一部）が、基となった画像データの問題で正確に認識できずに欠落してしまうこともある。この場合、顧客から取得した車両特定情報（ナンバープレートの数字や文字）と一致する第１車両特定情報が見つけることができない。このような場合を考慮して、店員は、補助情報（例：車両の色、車両のサイズ、車両の分類、車両の外観画像人物の画像、これらの画像の特徴量など）を更に確認して店舗装置１０に入力してもよい。この場合、紐付け部１２０は、Ｓ２０６の検索結果として得られる第１特定情報に紐づく補助情報と、ここで入力された補助情報の類似性を用いて、正当な人物か否かを判断することができる。また、紐付け部１２０は、Ｓ２０４で取得した商品特定情報に対応する商品が、Ｓ２０２で取得した決済識別情報に紐付けられているか否かを確認してもよい。この場合、Ｓ２０４で取得した商品特定情報に対応する商品が、Ｓ２０２で取得した決済識別情報に紐付けられていれば、紐付け部１２０は、クレーム連絡をしてきた人物を正当な人物として判定することができる。
【００６２】
Ｓ２０８の認証が成功した場合（Ｓ２０８：認証成功）、紐付け部１２０は、Ｓ２０８の検索結果として得られた第１車両特定情報にフラグ情報を紐付ける（Ｓ２１０）。例えば、紐付け部１２０は、Ｓ２０４で商品特定情報を取得している場合には、当該商品特定情報をフラグ情報として第１車両特定情報に紐付けることができる。なお、決済識別情報と車両特定情報とを紐付けた情報は、フラグ情報が更に紐付けられている場合、上述の保管期間が経過しても外部記憶装置２６から削除されずに保持される。またこの場合において、紐付け部１２０は、補償の有効期限を管理する情報（例：有効期限の最終日を示す情報、残り日数（"１ヶ月"または"３０日"など）を示す情報など）をフラグ情報と共に紐付けてもよい。この場合、店舗装置１０は、外部記憶装置２６に記憶されているフラグ情報の付与された情報を有効期限の満了に応じて削除することができる。このようにすることで、決済識別情報と車両特定情報とを紐付けた情報が外部記憶装置２６で際限なく記憶され続けることを防止できる。
【００６３】
紐付け部１２０は、例えば図７に示されるように、第１車両特定情報とフラグ情報とを紐付けて外部記憶装置２６に記憶する。図７は、外部記憶装置２６が記憶する情報の一例を示す図である。図７の例では、不備のあった商品を特定する商品特定情報（例："商品Ａ、１個"など）がフラグ情報として車両特定情報に紐付けられている。また、商品の不備に対する補償の有効期限を示す情報（例："残り３０日"など）および再来店予定日時を示す情報が更に紐付けられている。
【００６４】
一方、Ｓ２０８の認証が失敗した場合（Ｓ２０８：認証失敗）、例えば本人確認ができなかった旨のエラー通知などを出力して処理を終了する（Ｓ２１２）。
【００６５】
＜＜顧客が再来店したときの処理の流れ＞＞
次に、図８を用いて、顧客が再来店したときの店舗装置１０の処理の流れを説明する。図８は、顧客が再来店したときの店舗装置１０の処理の流れを例示するフローチャートである。
【００６６】
まず、生成部１３０は、店舗の敷地に入る車両の画像データを取得する（Ｓ３０２）。店舗の敷地に入る車両の画像データは、注文受付装置２０の付近に設置された第１の撮像装置２２または店舗の入り口付近に設置された第２の撮像装置２４により生成され、店舗装置１０に送信される。
【００６７】
生成部１３０は、第１の撮像装置２２または第２の撮像装置２４により生成された画像データを解析することによって、第２車両特定情報を生成する（Ｓ３０４）。第２車両特定情報は、第１車両特定情報と同様の情報である。具体的には、第２車両特定情報は、例えば、ナンバープレートの数字や文字のテキストデータである。ここで、生成部１３０は、第１車両特定情報と同様に、車両を特定するために補助的に利用可能な情報（補助情報）を画像データから抽出して第２車両特定情報に含めることもできる。補助情報の具体例としては、例えば車両の色、車両のサイズ、車両の分類、車両の外観画像人物の画像、これらの画像の特徴量などが挙げられる。
【００６８】
出力部１４０は、生成部１３０により生成された第２車両特定情報を用いて外部記憶装置２６を検索し、第２車両特定情報と一致する第１車両特定情報が存在するか否かを判定する（Ｓ３０６）。出力部１４０は、例えば、第２車両特定情報として生成された、ナンバープレートの文字または数字のテキストデータを用いて、同一のテキストデータを持つ第１車両特定情報を検索することができる。なお、ここでいう"一致"は"完全一致"である場合に限定されない。例えば、第１車両特定情報または第２車両特定情報を生成する際、その情報の一部（例：ナンバープレートの文字または数字の一部）が、基となった画像データの問題で正確に認識できずに欠落してしまうこともある。このような場合を考慮して、出力部１４０は、同一のテキストデータではなく、類似するテキストデータ持つ第１車両特定情報を検索するように構成されていてもよい。さらにこの場合、類似するテキストデータを持つ第１車両特定情報として、２つ以上の第１車両特定情報が検出される可能性もある。この場合、出力部１４０は、第２車両特定情報に含めた補助情報（例：車両の色、車両のサイズ、車両の分類、車両の外観画像、人物の画像、これらの画像の特徴量など）の類似性を用いて、当該２つ以上の第１特定車両情報の中から尤もらしい第１車両特定情報を１つ選択することができる。特に限定されないが、例えば、出力部１４０は、補助情報から算出した類似度を用いてテキストデータの類似度を補正し、当該補正後の類似度が最も高い第１車両特定情報を"尤もらしい第１車両特定情報"として選択することができる。
【００６９】
第２車両特定情報と一致する第１車両特定情報が検出されなかった場合（Ｓ３０６：ＮＯ）、出力部１４０は、以降の処理を実行しない。一方、第２車両特定情報と一致する第１車両特定情報が検出された場合（Ｓ３０６：ＹＥＳ）、出力部１４０は、当該検出された第１車両特定情報にフラグ情報が紐付けられているか否かを判定する（Ｓ３０８）。
【００７０】
検出された第１車両特定情報にフラグ情報が紐付けられていない場合（Ｓ３０８：ＮＯ）、出力部１４０は、以降の処理を実行しない。一方、検出された第１車両特定情報にフラグ情報が紐付けられている場合（Ｓ３０８：ＹＥＳ）、出力部１４０は所定の出力を実行する（Ｓ３１０）。例えば、出力部１４０は、顧客が商品の補償を受けるために再来店したことを店員に通知するためのメッセージをディスプレイに表示する、ブザー音をスピーカーから出力する、図示しない通知ランプを発光させる、といった処理を実行することができる。
【００７１】
また、出力部１４０は、Ｓ３０６で検出された第１車両特定情報に紐付けられている商品特定情報に基づいて、商品の名称や必要な個数などをディスプレイに表示させることもできる。このようにディスプレイに表示される情報によって、店員は、再来店した顧客に渡すべき商品を容易に把握することができる。
【００７２】
また、出力部１４０は、第１車両特定情報または第２車両特定情報（例：車両のナンバーなど）を店員用のディスプレイに表示させてもよい。また、出力部１４０は、第１車両特定情報の補助情報（車両の色、車両のサイズ、車種、車両の外観画像などの情報）を店員用のディスプレイなどに表示してもよい。これらの情報により、補償を受けに来た顧客の車両が店舗の敷地内に入ってきた場合に、店員が対象の車両を容易に把握することができる。
【００７３】
また、補償を受けに来た顧客の車両がドライブスルー通路に入ってきた場合、出力部１４０は、当該車両を専用の優先レーンに誘導する出力を行ってもよい。例えば、出力部１４０は、優先レーンに進む旨のメッセージを注文受付装置２０のディスプレイやスピーカーを介して出力させることができる。また、出力部１４０は、進行方向をランプなどを用いて通知する装置（不図示）に対して、優先レーン方向のランプを点灯させるように制御する信号を出力し、車両を専用レーンへ向かうように誘導してもよい。再来店した顧客を優先して対応することによって、顧客満足度を向上させる効果が期待できる。
【００７４】
また、出力部１４０は、補償を受けに来た顧客の車両がドライブスルー通路に入ってきて追加注文をした場合、追加注文の商品を割引きまたは値引きするクーポン情報を出力してもよい。これにより、顧客満足度を向上させる効果が期待できる。
【００７５】
＜変形例＞
また、図６のフローチャートにおいて、取得部１１０は、顧客が再び来店する予定日時（再来店予定日時）を示す情報を更に取得してもよい。例えば、店員が、クレームの電話応対において再来店予定日時を顧客に確認し、店舗装置１０の入力装置などを介してその日時を入力する。取得部１１０は、当該店員による入力操作によって、再来店予定日時を示す情報を取得することができる。また例えば、顧客がＷｅｂサイトの入力フォームまたは電子メールに再来店予定日時を更に入力することによって、取得部１１０は再来店予定日時を示す情報を取得することができる。そしてこの場合、図８のフローチャートにおいて、出力部１４０は、再来店予定日時を示す情報に基づいて、Ｓ３１０の出力を行うタイミングを制御してもよい。例えば、再来店予定日時の所定時間（例えば、"５分"など）前となった場合に、出力部１４０は、来店予定時刻に近づいたことを知らせるアラームの出力を行うことができる。これにより、まもなく再来店する顧客の情報を店員が容易に把握することができる。また、出力部１４０は、再来店予定日時を示す情報に基づいて、商品の準備を開始する時刻を制御するための出力を行うこともできる。例えば、再来店予定時刻の所定時間（例えば、"５分"など）前となった場合に、出力部１４０は、店員用のディスプレイやヘッドセットなどに商品を準備する指令を通知してもよい。これにより、再来店した顧客を長時間待たせることなく、作りたての商品を渡すことが可能となる。
【００７６】
［第２実施形態］
〔機能構成〕
図９は、第２実施形態の店舗装置１０の機能構成を概念的に示すブロック図である。本実施形態の店舗装置１０は、取得部１５０および出力部１６０を備える。
【００７７】
取得部１５０は、決済を識別する決済識別情報を取得する。例えば、店員が決済識別情報を店舗装置１０に入力することによって、取得部１１０は当該入力された決済識別情報を取得することができる。店員は、例えば、不備に関するクレームの電話を顧客から受け付けた際に、レシート等に印字された決済識別情報を顧客から聞き出すことにより、店舗装置１０に入力すべき決済識別情報を把握することができる。但し、これはあくまで一例であり、本発明はここで例示した内容に限定されない。
【００７８】
出力部１６０は、決済毎に割り当てられた決済識別情報と第１車両特定情報とを互いに紐付けて記憶する記憶手段（図示せず）から、取得部１５０が取得した決済識別情報に対応する第１車両特定情報を読み出し、例えば店員用のディスプレイなどに出力する。第１車両特定情報は、第１実施形態で説明したような情報（例えば、ナンバープレートの文字や数字）である。また、第１車両特定情報には、第１実施形態で説明したような補助情報（車両の色、車両のサイズ、車種、車両の外観画像などの情報）が紐付けられていてもよい。
【００７９】
以上、本実施形態によれば、第１車両特定情報（車両のナンバー）が店員用のディスプレイなどに出力される。また、第１車両特定情報に補助情報（車両の色、車両のサイズ、車種、車両の外観画像などの情報）が紐付けられている場合、これらの情報を店員用のディスプレイなどに更に表示させることができる。これらの情報により、補償を受けに来た顧客の車両が店舗の敷地内に入ってきた場合に、店員が対象の車両を容易に把握することができる。
【００８０】
〔第２実施形態の具体例〕
以下、具体的な例を用いて、第２実施形態の構成をより詳細に説明する。
【００８１】
＜ハードウエア構成＞
本実施形態の店舗装置１０は、第１実施形態と同様に、図３に示されるようなハードウエア構成を有する。
【００８２】
メモリ１０３やストレージデバイス１０４には、取得部１５０の機能、および、出力部１６０の機能をそれぞれ実現するためのプログラムモジュールが記憶される。
【００８３】
プロセッサ１０２が、メモリ１０３やストレージデバイス１０４に記憶される取得部１５０のプログラムモジュールを実行し、入力装置１０５１を用いて入力される或いは通信インタフェース１０６を介して送られてくる、決済識別情報を受け付ける。これにより、取得部１５０の機能が実現される。
【００８４】
また、プロセッサ１０２が、メモリ１０３やストレージデバイス１０４に記憶される出力部１６０のプログラムモジュールを実行し、取得部１５０により取得された決済識別情報に対応する車両特定情報を所定の記憶部の中から読み出す。そして、プロセッサ１０２は、読み出した車両特定情報を店舗装置１０に接続されたディスプレイ装置１０５２などに出力する。これにより、出力部１６０の機能が実現される。なお、所定の記憶部は、図２に示される外部記憶装置２６であってもよいし、店舗装置１０のストレージデバイス１０４であってもよい。後者の場合、外部記憶装置２６は店舗装置１０と接続されていなくてもよい。
【００８５】
なお、店舗装置１０のハードウエア構成は図３に示した構成に限定されない。
【００８６】
＜動作例＞
図１０を用いて、第２実施形態の店舗装置１０の具体的な動作例を説明する。図１０は、第２実施形態の店舗装置１０によって実行される処理の流れを例示するフローチャートである。
【００８７】
まず、取得部１５０は決済識別情報を取得する（Ｓ４０２）。例えば、店員が、顧客からのクレーム電話の応対で、レシート等に印字された決済識別情報を確認する。或いは、店員が、Ｗｅｂサイトの入力フォームまたは電子メールを介して店舗装置１０に送信されてきた決済識別情報を確認する。そして、店員がキーボードやタッチパネルなどを用いて決済識別情報を入力することによって、取得部１５０が当該入力された決済識別情報を取得することができる。
【００８８】
そして、出力部１６０は、Ｓ４０２で取得した決済識別情報に対応する第１車両特定情報を外部記憶装置２６の中から検索する（Ｓ４０４）。詳細には、出力部１６０は、外部記憶装置２６の中に記憶されている情報のうち廃棄されていない（例えば、削除フラグが付与されていない）情報を対象として、Ｓ４０２で取得した決済識別情報と同一の決済識別情報を検索する。そして、出力部１６０は、検索の結果として検出された決済識別情報に紐付けられている第１車両特定情報を、Ｓ４０２で取得した決済識別情報に対応する第１車両特定情報として特定する。
【００８９】
そして、出力部１６０は、Ｓ４０４で特定した第１車両特定情報を店員用のディスプレイなどに表示させる（Ｓ４０６）。第１車両特定情報に補助情報が紐付けられている場合、出力部１６０は、当該補助情報を店員用のディスプレイに更に表示させてもよい。これにより、上述した本実施形態の効果が得られる。
【００９０】
また、外部記憶装置２６が入れ忘れなどの不備があった商品を特定する商品特定情報をＳ４０４で特定した第１車両特定情報に紐付けて記憶している場合、出力部１６０は、当該商品特定情報を読み出して出力してもよい（Ｓ４０８）。具体的には、出力部１６０は、読み出した商品特定情報に基づいて、商品の名称や必要な個数などを店員用のディスプレイに表示することができる。このようにディスプレイに表示される情報によって、店員は、再来店した顧客に渡すべき商品を容易に把握することができる。
【００９１】
また、取得部１５０は、第１実施形態の変形例で説明したように、顧客が再び来店する予定日時（再来店予定日時）を示す情報を更に取得してもよい。この場合、出力部１６０は、再来店予定日時を示す情報に基づいて、Ｓ４０６またはＳ４０８の出力を行うタイミングを制御してもよい。例えば、再来店予定日時の所定時間（例えば、"５分"など）前となった場合に、出力部１４０は、Ｓ４０６の車両特定情報の出力を行うことができる。これにより、まもなく再来店する顧客がどのような車両に乗ってくるのかを、店員が容易に把握することができる。また、出力部１６０は、再来店予定日時を示す情報に基づいてＳ４０８の商品特定情報の出力を行うこともできる。例えば、再来店予定時刻の所定時間（例えば、"５分"など）前となった場合に、出力部１６０は、店員用のディスプレイやヘッドセットなどに、商品特定情報が示す商品を準備する指令を通知してもよい。これにより、再来店した顧客を長時間待たせることなく、作りたての商品を渡すことが可能となる。
【００９２】
［第３実施形態］
チェーン店などの場合には、顧客が他の店舗に向かうことも考えられる。本実施形態では、他の店舗でも補償が受けられる工夫が追加される。
【００９３】
〔システム構成〕
図１１は、第３実施形態の情報処理システム１を概念的に示すブロック図である。図１１に示されるように、情報処理システム１は、サーバ装置３０、第１の店舗装置４０、及び、第２の店舗装置５０を備える。
【００９４】
サーバ装置３０は、受信部３１０および配信部３２０を備える。受信部３１０は、第１の店舗装置から、再来店する可能性のある顧客に関する情報（以下、"再来店情報"と表記）を受信する。再来店情報は、顧客が乗っていた車両を特定する第１車両特定情報と、不備のあった商品を特定する商品特定情報とを少なくとも含む。配信部３２０は、第１の店舗装置４０とは異なる第２の店舗装置５０に、第１の店舗装置４０から受信した再来店情報を配信する。
【００９５】
第１の店舗装置４０は、取得部４１０、読出部４２０、および送信部４３０を備える。取得部４１０は、決済を識別する決済識別情報と商品を特定する商品特定情報とを取得する。また、読出部４２０は、決済毎に割り当てられた決済識別情報と顧客が使用していた車両を特定する第１車両特定情報とを互いに紐付けて記憶する記憶手段から、取得部４１０が取得した決済識別情報に対応する第１車両特定情報を読み出す。また、送信部４３０は、読出部４２０が読み出した前記第１車両特定情報と、取得部４１０が取得した前記商品特定情報とを含む再来店情報を外部装置（例えば、サーバ装置３０）に送信する。
【００９６】
第２の店舗装置５０は、受信部５１０、生成部５２０および出力部５３０を備える。受信部５１０は、決済を識別する決済識別情報と商品を特定する商品特定情報とを含む再来店情報を外部装置から受信して所定の記憶部（図示せず）に記憶する。生成部５２０は、店舗の敷地に入る車両を特定する第２車両特定情報を生成する。出力部５３０は、生成部５２０が生成した第２車両特定情報と一致する第１車両特定情報を含む再来店情報を所定の記憶部から検索する。また、出力部５３０は、検索の結果、該当する再来店情報に含まれる商品特定情報を、例えば店員用のディスプレイなどに出力する。
【００９７】
なお図１１では、説明の便宜上、第１の店舗装置４０を再来店情報の生成元の装置として、また、第２の店舗装置５０を他の店舗で生成された再来店情報を受信する装置として描いている。そのため、第１の店舗装置４０および第２の店舗装置５０が備える機能構成の一部が図中では省略されている。本来、第１の店舗装置４０は、第２の店舗装置５０の機能構成を更に備えている。同様に、第２の店舗装置５０は、第１の店舗装置４０の機能構成を更に備えている。
【００９８】
以上、本実施形態によれば、ある店舗で生成された再来店情報が、サーバ装置３０を介して他の店舗に配信される。この再来店情報は、顧客の車両を特定する第１車両特定情報と、不備のあった商品を特定する商品特定情報を含んでいる。そのため、他の店舗の店員であっても、サーバ装置３０から配信される再来店情報によって、補償を受けるために来店する顧客が乗っている車両、および、その顧客に渡すべき商品を把握することができる。結果として、顧客は、他の店舗でも商品の補償を受けることができる。
【００９９】
〔第３実施形態の具体例〕
以下、具体的な例を用いて、第３実施形態の構成をより詳細に説明する。
【０１００】
＜ハードウエア構成＞
図１２は、情報処理システム１に含まれる各装置のハードウエア構成を概念的に示すブロック図である。なお、情報処理システム１に含まれる各装置の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。図１２では、情報処理システム１に含まれる各装置の各機能構成部がハードウエアとソフトウエアとの組み合わせで実現される場合について説明する。
【０１０１】
＜＜サーバ装置３０のハードウエア構成＞＞
【０１０２】
サーバ装置３０は、バス３０１、プロセッサ３０２、メモリ３０３、ストレージデバイス３０４、入出力インタフェース３０５、及び、通信インタフェース３０６を有する。バス３０１は、データを送受信するためのデータ伝送路である。プロセッサ３０２、メモリ３０３、ストレージデバイス３０４、入出力インタフェース３０５、及び通信インタフェース３０６は、バス３０１を介して相互にデータを送受信する。但し、プロセッサ３０２などを互いに接続する方法は、バス接続に限定されない。
【０１０３】
プロセッサ３０２は、ＣＰＵ（Central Processing Unit）やＧＰＵ（Graphics Processing Unit）などの演算処理装置である。また、メモリ３０３は、ＲＡＭ（Random Access Memory）やＲＯＭ（Read Only Memory）などのメモリである。ストレージデバイス３０４は、ＨＤＤ（Hard Disk Drive）、ＳＳＤ（Solid State Drive）、又はメモリカードなどの記憶装置である。
【０１０４】
入出力インタフェース３０５は、サーバ装置３０と入出力デバイスとを接続するためのインタフェースである。入出力インタフェース３０５には、例えば、キーボードやマウスなどの入力装置、ＬＣＤ（Liquid Crystal Display）などのディスプレイ装置、これらの入力装置とディスプレイ装置が一体化したタッチパネルなどが接続される。なお、入出力インタフェース３０５には、これらの入力装置や表示装置が接続されていなくてもよい。
【０１０５】
通信インタフェース３０６は、サーバ装置３０と外部装置（例えば、第１の店舗装置４０、第２の店舗装置５０など）とを、各種ネットワークを介して接続するためのインタフェースである。通信インタフェース３０６の通信方式は、特に限定されない。
【０１０６】
メモリ３０３やストレージデバイス３０４には、受信部３１０の機能、および、配信部３２０の機能をそれぞれ実現するためのプログラムモジュールが記憶される。
【０１０７】
プロセッサ３０２が、メモリ３０３やストレージデバイス３０４に記憶される受信部３１０のプログラムモジュールを実行し、通信インタフェース３０６を介して第１の店舗装置４０から送られてくる再来店情報を受け付ける。プロセッサ３０２は、第１の店舗装置４０から受信した再来店情報を例えばストレージデバイス３０４や図示しない外部記憶装置に記憶してもよい。これにより、受信部３１０の機能が実現される。
【０１０８】
また、プロセッサ３０２が、メモリ３０３やストレージデバイス３０４に記憶される配信部３２０のプログラムモジュールを実行し、通信インタフェース３０６を介して第２の店舗装置５０に再来店情報を配信する。第２の店舗装置５０と通信するためのアドレスは、例えば、再来店情報に含まれていてもよいし、ストレージデバイス３０４や図示しない外部記憶装置に記憶されていてもよい。これにより、配信部３２０の機能が実現される。
【０１０９】
＜＜第１の店舗装置４０のハードウエア構成＞＞
【０１１０】
第１の店舗装置４０は、バス４０１、プロセッサ４０２、メモリ４０３、ストレージデバイス４０４、入出力インタフェース４０５、及び、通信インタフェース４０６を有する。バス４０１は、データを送受信するためのデータ伝送路である。プロセッサ４０２、メモリ４０３、ストレージデバイス４０４、入出力インタフェース４０５、及び通信インタフェース４０６は、バス４０１を介して相互にデータを送受信する。但し、プロセッサ４０２などを互いに接続する方法は、バス接続に限定されない。
【０１１１】
プロセッサ４０２は、ＣＰＵ（Central Processing Unit）やＧＰＵ（Graphics Processing Unit）などの演算処理装置である。また、メモリ４０３は、ＲＡＭ（Random Access Memory）やＲＯＭ（Read Only Memory）などのメモリである。ストレージデバイス４０４は、ＨＤＤ（Hard Disk Drive）、ＳＳＤ（Solid State Drive）、又はメモリカードなどの記憶装置である。
【０１１２】
入出力インタフェース４０５は、第１の店舗装置４０と入出力デバイスとを接続するためのインタフェースである。入出力インタフェース４０５には、例えば、キーボードやマウスなどの入力装置、ＬＣＤ（Liquid Crystal Display）などのディスプレイ装置、これらの入力装置とディスプレイ装置が一体化したタッチパネルなどが接続される。また、入出力インタフェース４０５には、商品精算処理を行うための各種機器（バーコードスキャナ、イメージスキャナ、キャッシャドロワ、自動釣銭機、レシートプリンタ等）が更に接続されていてもよい。
【０１１３】
通信インタフェース４０６は、第１の店舗装置４０と外部装置（例えば、サーバ装置３０、第２の店舗装置５０など）とを、各種ネットワークを介して接続するためのインタフェースである。通信インタフェース４０６の通信方式は、特に限定されない。
【０１１４】
メモリ４０３やストレージデバイス４０４には、取得部４１０の機能、読出部４２０の機能、および、送信部４３０の機能をそれぞれ実現するためのプログラムモジュールが記憶される。
【０１１５】
プロセッサ４０２が、メモリ４０３やストレージデバイス４０４に記憶される取得部４１０のプログラムモジュールを実行し、入力装置４０５１を用いて入力される或いは通信インタフェース１０６を介して送られてくる、決済識別情報および商品特定情報を受け付ける。これにより、取得部４１０の機能が実現される。
【０１１６】
また、プロセッサ４０２が、メモリ４０３やストレージデバイス４０４に記憶される読出部４２０のプログラムモジュールを実行し、取得部４１０により取得された決済識別情報に対応する車両特定情報を所定の記憶部の中から読み出す。これにより、読出部４２０の機能が実現される。なお、所定の記憶部は、例えば、第１の店舗装置４０のストレージデバイス４０４などである。
【０１１７】
また、プロセッサ４０２が、メモリ４０３やストレージデバイス４０４に記憶される送信部４３０のプログラムモジュールを実行し、読出部４２０により読み出された車両特定情報と取得部４１０により取得された商品特定情報とを含む再来店情報を通信インタフェース４０６を介してサーバ装置３０に送信する。これにより、送信部４３０の機能が実現される。
【０１１８】
＜＜第２の店舗装置５０のハードウエア構成＞＞
【０１１９】
第２の店舗装置５０は、バス５０１、プロセッサ５０２、メモリ５０３、ストレージデバイス５０４、入出力インタフェース５０５、及び、通信インタフェース５０６を有する。バス５０１は、データを送受信するためのデータ伝送路である。プロセッサ５０２、メモリ５０３、ストレージデバイス５０４、入出力インタフェース５０５、及び通信インタフェース５０６は、バス５０１を介して相互にデータを送受信する。但し、プロセッサ５０２などを互いに接続する方法は、バス接続に限定されない。
【０１２０】
プロセッサ５０２は、ＣＰＵ（Central Processing Unit）やＧＰＵ（Graphics Processing Unit）などの演算処理装置である。また、メモリ５０３は、ＲＡＭ（Random Access Memory）やＲＯＭ（Read Only Memory）などのメモリである。ストレージデバイス５０４は、ＨＤＤ（Hard Disk Drive）、ＳＳＤ（Solid State Drive）、又はメモリカードなどの記憶装置である。
【０１２１】
入出力インタフェース５０５は、第２の店舗装置５０と入出力デバイスとを接続するためのインタフェースである。入出力インタフェース５０５には、例えば、キーボードやマウスなどの入力装置、ＬＣＤ（Liquid Crystal Display）などのディスプレイ装置、これらの入力装置とディスプレイ装置が一体化したタッチパネルなどが接続される。また、入出力インタフェース５０５には、商品精算処理を行うための各種機器（バーコードスキャナ、イメージスキャナ、キャッシャドロワ、自動釣銭機、レシートプリンタ等）が更に接続されていてもよい。
【０１２２】
通信インタフェース５０６は、第２の店舗装置５０と外部装置（例えば、サーバ装置３０、第１の店舗装置４０など）とを、各種ネットワークを介して接続するためのインタフェースである。通信インタフェース５０６の通信方式は、特に限定されない。
【０１２３】
メモリ５０３やストレージデバイス５０４には、受信部５１０の機能、生成部５２０の機能、および、出力部５３０の機能をそれぞれ実現するためのプログラムモジュールが記憶される。
【０１２４】
プロセッサ５０２が、メモリ５０３やストレージデバイス５０４に記憶される受信部５１０のプログラムモジュールを実行し、通信インタフェース５０６を介してサーバ装置３０から配信される再来店情報を受信する。プロセッサ５０２は、受信した再来店情報を、例えば、ストレージデバイス５０４などに記憶する。これにより、受信部５１０の機能が実現される。
【０１２５】
また、プロセッサ５０２が、メモリ５０３やストレージデバイス５０４に記憶される生成部５２０のプログラムモジュールを実行し、店舗の周辺に設置される撮像装置（図示せず）から取得した車両の画像データを解析して、第２車両特定情報を生成する。これにより、生成部５２０の機能が実現される。
【０１２６】
また、プロセッサ５０２が、メモリ５０３やストレージデバイス５０４に記憶される出力部５３０のプログラムモジュールを実行し、生成部５２０により生成された第２車両特定情報と一致する第１車両特定情報を含む再来店情報が所定の記憶部に記憶されているか否かを判定する。生成部５２０により生成された第２車両特定情報と一致する第１車両特定情報を含む再来店情報が所定の記憶部に記憶されている場合、プロセッサ１０２は、当該再来店情報に含まれる第１車両特定情報および商品特定情報を店員用のディスプレイなどに出力する。これにより、出力部５３０の機能が実現される。
【０１２７】
なお、情報処理システム１に含まれる各装置のハードウエア構成は図１２に示した例に限定されない。
【０１２８】
＜動作例＞
以下、図１３を用いて、第３実施形態の情報処理システム１の動作の具体例を説明する。図１３は、第３実施形態の情報処理システム１の処理の流れを例示するシーケンス図である。
【０１２９】
まず、第１の店舗装置４０が、第１車両特定情報と商品特定情報とを含む再来店情報を生成する（Ｓ５０２）。具体的には、第１の店舗装置４０の取得部４１０は、例えば、第１実施形態の図６のＳ２０２およびＳ２０４で説明したように、決済識別情報と商品特定情報とを取得する。
【０１３０】
また、第１の店舗装置４０の読出部４２０が、第１実施形態の図６のＳ２０６で説明したように、取得した決済識別情報に対応する第１車両特定情報を特定する。そして、第１の店舗装置４０の送信部４３０が、第１車両特定情報と商品特定情報とを含む再来店情報をサーバ装置３０に送信する（Ｓ５０４）。
【０１３１】
サーバ装置３０の受信部３１０で第１の店舗装置４０から送信された再来店情報が受信されると、サーバ装置３０の配信部３２０は当該受信した再来店情報の配信先を特定する（Ｓ５０６）。例えば、再来店情報の配信先とする第２の店舗装置５０を示す情報（以下、"配信先特定情報"とも表記）がＳ５０４で送信された再来店情報に含まれている場合、サーバ装置３０の配信部３２０は、その配信先特定情報に基づいて再来店情報を配信すべき第２の店舗装置５０を特定することができる。また、配信先特定情報が第１の店舗装置４０別にストレージデバイス３０４などに記憶されている場合、サーバ装置３０の配信部３２０は、再来店情報の送信元を特定可能な情報（例えば、第１の店舗装置４０の送信元アドレスなど）に基づいて、送信元に対応する配信先特定情報を読み出す。そして、サーバ装置３０の配信部３２０は、読み出した配信先特定情報に基づいて、再来店情報を配信すべき第２の店舗装置５０を特定することができる。そして、サーバ装置３０の配信部３２０は、読み出した配信先特定情報が示す宛先（第２の店舗装置５０）に、再来店情報を配信する（Ｓ５０８）。
【０１３２】
第２の店舗装置５０の取得部４１０は、サーバ装置３０から受信した再来店情報を、例えばストレージデバイス４０４などに記憶する（Ｓ５１０）。そして、第２の店舗装置５０の生成部５２０は、第１実施形態で説明したように、店舗の敷地に入ってきた車両の画像データを基に第２車両特定情報を生成する（Ｓ５１２）。
【０１３３】
第２の店舗装置５０の出力部５３０は、生成部５２０により生成された第２車両特定情報を用いて、条件を満たす再来店情報を出力する（Ｓ５１４）。具体的には、第２の店舗装置５０の出力部５３０は、ストレージデバイス４０４などに記憶した再来店情報の中に、Ｓ５１２の第２車両特定情報と一致する第１車両特定情報を含む再来店情報が存在するか否かを判定する。Ｓ５１２の第２車両特定情報と一致する第１車両特定情報を含む再来店情報が存在する場合、その第１車両特定情報と、その再来店情報に含まれる商品特定情報とを、例えば店員用のディスプレイに表示させる。これにより、他の店舗の店員が、商品の補償を受けにきた顧客が乗っている車両と、補償に必要な商品とを把握することができる。結果として、顧客が他の店舗において商品の補償を受けることが可能となる。
【０１３４】
また、第２の店舗装置５０は、再来店した顧客に必要な商品を渡したことを示す入力を受け付けた場合、対応する再来店情報の削除処理を実行する（Ｓ５１６）。例えば、第２の店舗装置５０は、再来店情報毎の識別情報を含む削除処理の実行要求をサーバ装置３０に送信する。サーバ装置３０は、この要求に応じて、当該要求に含まれる再来店情報を配信した全ての店舗に、当該再来店情報を廃棄する旨の指示を配信する（Ｓ５１８）。これにより、第２の店舗装置５０とは別の店舗に配信された再来店情報を無効とすることができる。
【０１３５】
なお、上述の動作例では、第２車両特定情報を画像データから生成する例を示したが、店員が顧客から口頭で伝えられた車両のナンバーなどの情報を第２の店舗装置５０に入力してもよい。この場合、第２の店舗装置５０の出力部５３０は、入力された車両のナンバーなどを用いて再来店情報を検索し、該当する再来店情報に含まれる商品特定情報を店員用のディスプレイなど表示させることができる。
【０１３６】
配信先特定情報については、例えば顧客から受け取り店舗の指定を受け付けた第１の店舗装置が再来店情報に配信先特定情報を含めることができる。
【０１３７】
以上、図面を参照して本発明の実施形態について述べたが、これらは本発明の例示であり、上記以外の様々な構成を採用することもできる。
【０１３８】
また、上述の説明で用いた複数のシーケンス図やフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【０１３９】
以下、参考形態の例を付記する。
１．
決済を識別する決済識別情報を取得する取得手段と、
決済毎に割り当てられた前記決済識別情報と顧客が使用していた車両を特定する第１車両特定情報とを互いに紐付けて記憶する記憶部の中から、前記取得手段が取得した決済識別情報に対応する前記第１車両特定情報を特定してフラグ情報を紐付ける紐付け手段と、
店舗の敷地に入る車両を特定する第２車両特定情報を生成する生成手段と、
前記フラグ情報が紐付けられている前記第１車両特定情報と前記第２車両特定情報とが一致する場合に、所定の出力を行う出力手段と、
を備える店舗装置。
２．
前記取得手段は、商品を特定する商品特定情報を更に取得し、
前記紐付け手段は、前記取得手段が取得した決済識別情報に対応する前記第１車両特定情報に、前記取得手段が取得した商品特定情報を含む前記フラグ情報を紐付け、
前記出力手段は、前記フラグ情報の商品特定情報を用いた出力を行う、
１．に記載の店舗装置。
３．
前記出力手段は、前記取得手段が取得した決済識別情報に対応する前記第１車両特定情報または前記第２車両特定情報を用いた出力を行う、
１．または２．に記載の店舗装置。
４．
決済を識別する決済識別情報を取得する取得手段と、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出して出力する出力手段と、
を備える店舗装置。
５．
前記記憶部は、決済毎に割り当てられた前記決済識別情報および顧客が使用していた車両を特定する前記第１車両特定情報と共に、商品を特定する商品特定情報を更に記憶しており、
前記出力手段は、前記取得手段が取得した決済識別情報に対応する前記第１車両特定情報および前記商品特定情報を読み出して出力する、
４．に記載の店舗装置。
６．
第１の店舗装置から、車両を特定する第１車両特定情報と商品を特定する商品特定情報とを含む再来店情報を受信する受信手段と、
第２の店舗装置に、前記再来店情報を配信する配信手段と、
を備えるサーバ装置。
７．
前記受信手段が受信する前記再来店情報には、当該再来店情報の配信先とする前記第２の店舗装置を特定する配信先特定情報が含まれており、
前記配信手段は、前記受信手段が受信した再来店情報の配信先特定情報に基づいて、当該再来店情報を送信すべき前記第２の店舗装置を特定する、
６．に記載のサーバ装置。
８．
前記配信手段は、前記再来店情報の配信先とする前記第２の店舗装置を特定する配信先特定情報を前記第１の店舗装置別に記憶する記憶部の中から、前記受信手段が受信した再来店情報の送信元の前記第１の店舗装置に対応する前記配信先特定情報を読み出し、当該読み出した配信先特定情報に基づいて、当該再来店情報を送信すべき前記第２の店舗装置を特定する、
６．に記載のサーバ装置。
９． 
決済を識別する決済識別情報と商品を特定する商品特定情報とを取得する取得手段と、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出す読出手段と、
前記読出手段が読み出した前記第１車両特定情報と、前記取得手段が取得した前記商品特定情報とを含む再来店情報を外部装置に送信する送信手段と、
を備える店舗装置。
１０．
決済を識別する決済識別情報と商品を特定する商品特定情報とを含む再来店情報を外部装置から受信して所定の記憶部に記憶する受信手段と、
店舗の敷地に入る車両を特定する第２車両特定情報を生成する生成手段と、
前記記憶部から前記第２車両特定情報と一致する第１車両特定情報を含む前記再来店情報を検索し、該当する前記再来店情報に含まれる前記商品特定情報を出力する出力手段と、
を備える店舗装置。
１１．
６．から８．のいずれか１つに記載のサーバ装置と、
９．に記載の店舗装置と、
１０．に記載の店舗装置と、
を含む情報処理システム。
１２．
コンピュータが、
決済を識別する決済識別情報を取得し、
決済毎に割り当てられた前記決済識別情報と顧客が使用していた車両を特定する第１車両特定情報とを互いに紐付けて記憶する記憶部の中から、前記取得した決済識別情報に対応する前記第１車両特定情報を特定してフラグ情報を紐付け、
店舗の敷地に入る車両を特定する第２車両特定情報を生成し、
前記フラグ情報が紐付けられている前記第１車両特定情報と前記第２車両特定情報とが一致する場合に、所定の出力を行う、
ことを含む情報処理方法。
１３．
前記コンピュータが、
商品を特定する商品特定情報を更に取得し、
前記取得した決済識別情報に対応する前記第１車両特定情報に、前記取得した商品特定情報を含む前記フラグ情報を紐付け、
前記フラグ情報が紐付けられている前記第１車両特定情報と前記第２車両特定情報とが一致する場合に、前記フラグ情報の商品特定情報を用いた出力を行う、
ことを含む１２．に記載の情報処理方法。
１４．
前記コンピュータが、
前記取得した決済識別情報に対応する前記第１車両特定情報または前記第２車両特定情報を用いた出力を行う、
ことを含む１２．または１３．に記載の情報処理方法。
１５．
コンピュータが、
決済を識別する決済識別情報を取得し、
決済毎に割り当てられた決済識別情報と顧客が使用していた車両を特定する第１車両特定情報とを互いに紐付けて記憶する記憶部から、前記取得した決済識別情報に対応する前記第１車両特定情報を読み出して出力する、
ことを含む情報処理方法。
１６．
前記記憶部は、決済毎に割り当てられた前記決済識別情報および顧客が使用していた車両を特定する前記第１車両特定情報と共に、商品を特定する商品特定情報を更に記憶しており、
前記コンピュータが、
前記取得した決済識別情報に対応する前記第１車両特定情報および前記商品特定情報を読み出して出力する、
ことを含む１５．に記載の情報処理方法。
１７．
コンピュータが、
第１の店舗装置から、車両を特定する第１車両特定情報と商品を特定する商品特定情報とを含む再来店情報を受信し、
第２の店舗装置に、前記再来店情報を配信する、
ことを含む情報処理方法。
１８．
前記再来店情報には、当該再来店情報の配信先とする前記第２の店舗装置を特定する配信先特定情報が含まれており、
前記コンピュータが、
前記受信した再来店情報の配信先特定情報に基づいて、当該再来店情報を送信すべき前記第２の店舗装置を特定する、
ことを含む１７．に記載の情報処理方法。
１９．
前記コンピュータが、
前記再来店情報の配信先とする前記第２の店舗装置を特定する配信先特定情報を前記第１の店舗装置別に記憶する記憶部の中から、前記受信した再来店情報の送信元の前記第１の店舗装置に対応する前記配信先特定情報を読み出し、当該読み出した配信先特定情報に基づいて、当該再来店情報を送信すべき前記第２の店舗装置を特定する、
ことを含む１７．に記載の情報処理方法。
２０．
コンピュータが、
決済を識別する決済識別情報と商品を特定する商品特定情報とを取得し、
決済毎に割り当てられた決済識別情報と顧客が使用していた車両を特定する第１車両特定情報とを互いに紐付けて記憶する記憶部から、前記取得した決済識別情報に対応する前記第１車両特定情報を読み出し、
前記読み出した前記第１車両特定情報と、前記取得した前記商品特定情報とを含む再来店情報を外部装置に送信する、
ことを含む情報処理方法。
２１．
コンピュータが、
決済を識別する決済識別情報と商品を特定する商品特定情報とを含む再来店情報を外部装置から受信して所定の記憶部に記憶し、
店舗の敷地に入る車両を特定する第２車両特定情報を生成し、
前記第２車両特定情報と一致する第１車両特定情報を含む前記再来店情報を検索し、該当する前記再来店情報に含まれる前記商品特定情報を出力する、
ことを含む情報処理方法。
２２．
コンピュータを、
決済を識別する決済識別情報を取得する取得手段、
決済毎に割り当てられた前記決済識別情報と顧客が使用していた車両を特定する第１車両特定情報とを互いに紐付けて記憶する記憶部の中から、前記取得手段が取得した決済識別情報に対応する前記第１車両特定情報を特定してフラグ情報を紐付ける紐付け手段、
店舗の敷地に入る車両を特定する第２車両特定情報を生成する生成手段、及び、
前記フラグ情報が紐付けられている前記第１車両特定情報と前記第２車両特定情報とが一致する場合に、所定の出力を行う出力手段、
として機能させるためのプログラム。
２３．
前記コンピュータを、
商品を特定する商品特定情報を更に取得する手段、
前記取得した決済識別情報に対応する前記第１車両特定情報に、前記取得した商品特定情報を含む前記フラグ情報を紐付ける手段、
前記フラグ情報が紐付けられている前記第１車両特定情報と前記第２車両特定情報とが一致する場合に、前記フラグ情報の商品特定情報を用いた出力を行う手段、
として更に機能させるための２２．に記載のプログラム。
２４．
前記コンピュータを、
前記取得した決済識別情報に対応する前記第１車両特定情報または前記第２車両特定情報を用いた出力を行う手段、
として更に機能させるための２２．または２３．に記載のプログラム。
２５．
コンピュータを、
決済を識別する決済識別情報を取得する取得手段、及び、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出して出力する出力手段、
として機能させるためのプログラム。
２６．
前記記憶部は、決済毎に割り当てられた前記決済識別情報および顧客が使用していた車両を特定する前記第１車両特定情報と共に、商品を特定する商品特定情報を更に記憶しており、
前記コンピュータを、
前記取得した決済識別情報に対応する前記第１車両特定情報および前記商品特定情報を読み出して出力する手段、
として機能させるための２５．に記載のプログラム。
２７．
コンピュータを、
第１の店舗装置から、車両を特定する第１車両特定情報と商品を特定する商品特定情報とを含む再来店情報を受信する受信手段、及び、
第２の店舗装置に、前記再来店情報を配信する配信手段、
として機能させるためのプログラム。
２８．
前記再来店情報には、当該再来店情報の配信先とする前記第２の店舗装置を特定する配信先特定情報が含まれており、
前記コンピュータを、
前記受信した再来店情報の配信先特定情報に基づいて、当該再来店情報を送信すべき前記第２の店舗装置を特定する手段、
として更に機能させるための２７．に記載のプログラム。
２９．
前記コンピュータを、
前記再来店情報の配信先とする前記第２の店舗装置を特定する配信先特定情報を前記第１の店舗装置別に記憶する記憶部の中から、前記受信した再来店情報の送信元の前記第１の店舗装置に対応する前記配信先特定情報を読み出し、当該読み出した配信先特定情報に基づいて、当該再来店情報を送信すべき前記第２の店舗装置を特定する手段、
として更に機能させるための２７．に記載のプログラム。
３０． 
コンピュータを、
決済を識別する決済識別情報と商品を特定する商品特定情報とを取得する取得手段、
決済毎に割り当てられた決済識別情報と顧客が使用していた車両を特定する第１車両特定情報とを互いに紐付けて記憶する記憶部から、前記取得手段が取得した決済識別情報に対応する前記第１車両特定情報を読み出す読出手段、及び、
前記読出手段が読み出した前記第１車両特定情報と、前記取得手段が取得した前記商品特定情報とを含む再来店情報を外部装置に送信する送信手段、
として機能させるためのプログラム。
３１．
コンピュータを、
決済を識別する決済識別情報と商品を特定する商品特定情報とを含む再来店情報を外部装置から受信して所定の記憶部に記憶する受信手段、
店舗の敷地に入る車両を特定する第２車両特定情報を生成する生成手段、及び、
前記第２車両特定情報と一致する第１車両特定情報を含む前記再来店情報を検索し、該当する前記再来店情報に含まれる前記商品特定情報を出力する出力手段、
として機能させるためのプログラム。
【符号の説明】
【０１４０】
１  情報処理システム
１０  店舗装置
１０１  バス
１０２  プロセッサ
１０３  メモリ
１０４  ストレージデバイス
１０５  入出力インタフェース
１０５１  入力装置
１０５２  ディスプレイ装置
１０６  通信インタフェース
１１０  取得部
１２０  紐付け部
１３０  生成部
１４０  出力部
１５０  取得部
１６０  出力部
２０  注文受付装置
２２  第１の撮像装置
２４  第２の撮像装置
２６  外部記憶装置
３０  サーバ装置
３０１  バス
３０２  プロセッサ
３０３  メモリ
３０４  ストレージデバイス
３０５  入出力インタフェース
３０６  通信インタフェース
４０  第１の店舗装置
４０１  バス
４０２  プロセッサ
４０３  メモリ
４０４  ストレージデバイス
４０５  入出力インタフェース
４０６  通信インタフェース
４１０  取得部
４２０  読出部
４３０  送信部
５０  第２の店舗装置
５０１  バス
５０２  プロセッサ
５０３  メモリ
５０４  ストレージデバイス
５０５  入出力インタフェース
５０６  通信インタフェース
５１０  受信部
５２０  生成部
５３０  出力部
【図１】
2018055563.tif 000003
【図２】
2018055563.tif 000004
【図３】
2018055563.tif 000005
【図４】
2018055563.tif 000006
【図５】
2018055563.tif 000007
【図６】
2018055563.tif 000008
【図７】
2018055563.tif 000009
【図８】
2018055563.tif 000010
【図９】
2018055563.tif 000011
【図１０】
2018055563.tif 000012
【図１１】
2018055563.tif 000013
【図１２】
2018055563.tif 000014
【図１３】
2018055563.tif 000015